(57)【特許請求の範囲】
【請求項１】
開口部および底部がそれぞれ略矩形に形成されると共に全体としてトレー状に構成された収納容器であって、一対の当該収納容器における各々の前記開口部の口縁部同士を突合させた第１突合状態において被収納体を収納可能な箱状体を形成可能に構成され、
前記第１突合状態において互いに嵌合可能な開口部側嵌合部が前記口縁部に形成されると共に、一対の当該収納容器における各々の前記底部同士を突合させた第２突合状態において互いに嵌合可能な底部側嵌合部が当該底部に形成され、
前記開口部側嵌合部および前記底部側嵌合部は、平面視形状が前記底部の中心を対称点として点対称の形状に形成され、
前記底部側嵌合部は、平面視略矩形の枠状の第１凸部と、対向する二辺と当該二辺の端部を結ぶ一辺で構成される平面視コ字状の第２凸部と、第３凸部とを備え、
前記第１凸部は、前記底部の中心の周囲に位置するように当該底部を４つに分割した平面視略矩形の各分割領域のうちの対角位置に位置する２つの分割領域において当該底部の外側に向けて突出形成され、
前記第２凸部は、当該第１凸部が形成された前記２つの分割領域を除く他の２つの分割領域において当該底部の外側に向けて突出形成されると共に前記第２突合状態において他の当該収納容器における前記第１凸部の外壁に嵌合して当該第２凸部の前記一辺に沿った方向への当該各収納容器の相対的な移動を規制可能に形成され、
前記第３凸部は、前記他の２つの分割領域において当該底部の外側に向けて突出形成されると共に前記第２突合状態において前記他の収納容器における前記第１凸部の内壁に係合して前記第２凸部の前記二辺に沿った方向への当該各収納容器の相対的な移動を規制可能に形成されている収納容器。
【請求項２】
前記開口部側嵌合部は、前記口縁部を４つに分割した平面視Ｌ字状の各分割部位のうちの対角位置に位置する２つの分割部位に形成された平面視Ｌ字状の凹部と、当該凹部が形成された前記２つの分割部位を除く他の２つの分割部位に形成されると共に前記第１突合状態において他の当該収納容器における当該凹部と嵌合可能な平面視Ｌ字状の第４凸部とを備えて構成されている請求項１記載の収納容器。
【請求項３】
前記口縁部を構成する４つの辺における互いに対向する２つの辺の中央部には、切り欠き部がそれぞれ形成されている請求項１または２記載の収納容器。
【請求項４】
前記開口部および前記底部がそれぞれ略長方形に形成され、
前記切り欠き部は、前記２つの辺としての互いに対向する２つの短辺の中央部にそれぞれ形成されている請求項３記載の収納容器。
【請求項５】
請求項１から４のいずれかに記載の収納容器を第１収納容器として、底部に形成された底部側嵌合部の形状が前記第１収納容器における前記底部側嵌合部の形状とは異なる第２収納容器と当該第１収納容器とを積み重ねる収納容器の積み重ね方法であって、
前記第２収納容器の底部側嵌合部が、当該第２収納容器の底部の中心の周囲に位置するように当該底部を４つに分割した平面視略矩形の各分割領域のうちの対角位置に位置する２つの分割領域において当該底部の外側に向けて突出形成されると共に前記第１収納容器における前記第２凸部の前記二辺に沿った方向の長さよりも長尺方向の長さが長い平面視略長方形の第５凸部と、当該第５凸部が形成された当該２つの分割領域を除く他の２つの分割領域において当該底部の外側に向けて突出形成されると共に一対の当該第２収納容器における各々の底部同士を突合させた状態において他の当該第２収納容器における前記第５凸部の外壁に嵌合する第６凸部とを備えて構成され、かつ前記第２収納容器の前記底部と前記第１収納容器の前記底部とを突合させた状態において前記第１収納容器の前記第３凸部が嵌合する凹部が形成されており、
前記第２収納容器の前記底部と前記第１収納容器の前記底部とを突合させて当該第２収納容器の前記第５凸部の外壁に当該第１収納容器の前記第２凸部を嵌合させると共に、当該第２収納容器の前記第６凸部を当該第１収納容器の前記第１凸部の外壁に嵌合させ、かつ当該第２収納容器の前記凹部に当該第１収納容器の前記第３凸部を嵌合させて、当該第２収納容器と当該第１収納容器との相対的な移動を規制した状態で当該第２収納容器と当該第１収納容器とを積み重ねる収納容器の積み重ね方法。
【発明の詳細な説明】
【技術分野】
【０００１】
本発明は、全体としてトレー状に構成されて、一対の収納容器における各々の開口部の口縁部同士を突合させた状態において被収納体を収納可能な箱状体を形成可能に構成された収納容器、および収納容器の積み重ね方法に関するものである。
【背景技術】
【０００２】
この種の収納容器として、特開２００７−６２７４２号公報において出願人が開示した収納容器が知られている。この収納容器は、テープカートリッジを収納するための収納容器であって、２つの収納容器の開口部の口縁部（鍔部）同士を突合させることによって複数のテープカートリッジを並べて収納可能な収納箱が形成されるように構成されている。また、この収納容器は、開口部の口縁部に第１嵌合部が形成されると共に、底部に第２嵌合部が形成されている。この場合、この収納容器では、第１嵌合部および第２嵌合部が底部の中央部を中心として点対称の形状に形成されている。このため、収納容器を同種類の他の収納容器に覆い被せる際、およびテープカートリッジを収納した収納箱の上（収納容器の底部の上）に同種類の他の収納箱を積み重ねる際に、収納容器の向きを確認する作業が不要な結果、その分、テープカートリッジの収納作業や収納箱の積み重ね作業の効率を向上させることが可能となっている。
【先行技術文献】
【特許文献】
【０００３】
【特許文献１】特開２００７−６２７４２号公報（第６−７頁、第１−４図）
【発明の概要】
【発明が解決しようとする課題】
【０００４】
ところが、上記の収納容器には、解決すべき以下の課題がある。すなわち、この種の収納容器では、例えば、収納作業の効率向上の観点から形状が変更されて、これに伴って嵌合部の形状も変更されることがしばしばある。このため、このような形状の変更によって底部に形成された嵌合部の形状が異なる複数種類の収納容器が混在する場合には、異なる収納容器でテープカートリッジを収納した収納箱同士の積み重ねができなくなるため、積み重ね作業の効率が低下するという課題が存在する。
【０００５】
本発明は、かかる課題に鑑みてなされたものであり、底部に形成された嵌合部の形状が異なる他種類の収納容器との積み重ねが可能な収納容器、および収納容器の積み重ね方法を提供することを主目的とする。
【課題を解決するための手段】
【０００６】
上記目的を達成すべく本発明に係る収納容器は、開口部および底部がそれぞれ略矩形に形成されると共に全体としてトレー状に構成された収納容器であって、一対の当該収納容器における各々の前記開口部の口縁部同士を突合させた第１突合状態において被収納体を収納可能な箱状体を形成可能に構成され、前記第１突合状態において互いに嵌合可能な開口部側嵌合部が前記口縁部に形成されると共に、一対の当該収納容器における各々の前記底部同士を突合させた第２突合状態において互いに嵌合可能な底部側嵌合部が当該底部に形成され、前記開口部側嵌合部および前記底部側嵌合部は、平面視形状が前記底部の中心を対称点として点対称の形状に形成され、前記底部側嵌合部は、平面視略矩形の枠状の第１凸部と、対向する二辺と当該二辺の端部を結ぶ一辺で構成される平面視コ字状の第２凸部と、第３凸部とを備え、前記第１凸部は、前記底部の中心の周囲に位置するように当該底部を４つに分割した平面視略矩形の各分割領域のうちの対角位置に位置する２つの分割領域において当該底部の外側に向けて突出形成され、前記第２凸部は、当該第１凸部が形成された前記２つの分割領域を除く他の２つの分割領域において当該底部の外側に向けて突出形成されると共に前記第２突合状態において他の当該収納容器における前記第１凸部の外壁に嵌合して当該第２凸部の前記一辺に沿った方向への当該各収納容器の相対的な移動を規制可能に形成され、前記第３凸部は、前記他の２つの分割領域において当該底部の外側に向けて突出形成されると共に前記第２突合状態において前記他の収納容器における前記第１凸部の内壁に係合して前記第２凸部の前記二辺に沿った方向への当該各収納容器の相対的な移動を規制可能に形成されている。なお、本発明における矩形には、長方形および正方形の双方が含まれるものとする。
【０００７】
また、本発明に係る収納容器は、前記開口部側嵌合部は、前記口縁部を４つに分割した平面視Ｌ字状の各分割部位のうちの対角位置に位置する２つの分割部位に形成された平面視Ｌ字状の凹部と、当該凹部が形成された前記２つの分割部位を除く他の２つの分割部位に形成されると共に前記第１突合状態において他の当該収納容器における当該凹部と嵌合可能な平面視Ｌ字状の第４凸部とを備えて構成されている。
【０００８】
また、本発明に係る収納容器は、前記口縁部を構成する４つの辺における互いに対向する２つの辺の中央部には、切り欠き部がそれぞれ形成されている。
【０００９】
また、本発明に係る収納容器は、前記開口部および前記底部がそれぞれ略長方形に形成され、前記切り欠き部は、前記２つの辺としての互いに対向する２つの短辺の中央部にそれぞれ形成されている。
【００１０】
また、本発明に係る収納容器の積み重ね方法は、上記の収納容器を第１収納容器として、底部に形成された底部側嵌合部の形状が前記第１収納容器における前記底部側嵌合部の形状とは異なる第２収納容器と当該第１収納容器とを積み重ねる収納容器の積み重ね方法であって、前記第２収納容器の底部側嵌合部が、当該第２収納容器の底部の中心の周囲に位置するように当該底部を４つに分割した平面視略矩形の各分割領域のうちの対角位置に位置する２つの分割領域において当該底部の外側に向けて突出形成されると共に前記第１収納容器における前記第２凸部の前記二辺に沿った方向の長さよりも長尺方向の長さが長い平面視略長方形の第５凸部と、当該第５凸部が形成された当該２つの分割領域を除く他の２つの分割領域において当該底部の外側に向けて突出形成されると共に一対の当該第２収納容器における各々の底部同士を突合させた状態において他の当該第２収納容器における前記第５凸部の外壁に嵌合する第６凸部とを備えて構成され、かつ前記第２収納容器の前記底部と前記第１収納容器の前記底部とを突合させた状態において前記第１収納容器の前記第３凸部が嵌合する凹部が形成されており、前記第２収納容器の前記底部と前記第１収納容器の前記底部とを突合させて当該第２収納容器の前記第５凸部の外壁に当該第１収納容器の前記第２凸部を嵌合させると共に、当該第２収納容器の前記第６凸部を当該第１収納容器の前記第１凸部の外壁に嵌合させ、かつ当該第２収納容器の前記凹部に当該第１収納容器の前記第３凸部を嵌合させて、当該第２収納容器と当該第１収納容器との相対的な移動を規制した状態で当該第２収納容器と当該第１収納容器とを積み重ねる。
【発明の効果】
【００１１】
本発明に係る収納容器では、底部を４つに分割した平面視略長方形の各分割領域のうちの対角位置に位置する２つの分割領域に形成した平面視略矩形の枠状の第１凸部と、他の２つの分割領域に形成した平面視コ字状の第２凸部および第３凸部とを備えて底部側嵌合部が構成されている。このため、本発明に係る収納容器および本発明に係る収納容器の積み重ね方法によれば、本発明に係る収納容器を第１収納容器として、底部に形成された底部側嵌合部の形状が第１収納容器における底部側嵌合部の形状とは異なる第２収納容器と第１収納容器とを積み重ねるときに、第２収納容器の底部側嵌合部が、第１収納容器における第２凸部の二辺に沿った方向の長さよりも長尺方向の長さが長い平面視略長方形の第５凸部を備えて構成されている場合においても、第２凸部を第５凸部の外壁に確実に嵌合させることができる。つまり、本発明に係る収納容器および本発明に係る収納容器の積み重ね方法によれば、底部に形成された底部側嵌合部の形状が異なる他種類の収納容器との積み重ねをすることができる。したがって、本発明に係る収納容器とは底部側嵌合部の形状が異なる他種類の収納容器に被収納体を収納した他種類の箱状体と、本発明に係る収納容器に被収納体を収納した本発明における箱状体とが混在している場合においても、両者を積み重ねることができるため、積み重ね作業の効率を十分に向上することができる。
【００１２】
また、本発明に係る収納容器によれば、平面視形状が底部の中心を対称点として点対称の形状に底部側嵌合部を形成したことにより、本発明における箱状体同士を積み重ねる場合において収納容器の向きを確認する作業を不要にできる結果、積み重ね作業の効率をさらに向上させることができる。また、同様にして、本発明における箱状体を底部側嵌合部の形状が異なる他種類の箱状体の上に積み重ねる場合においても、収納容器の向きを確認する作業を不要にできる結果、積み重ね作業の効率をさらに向上させることができる。
【００１３】
また、本発明に係る収納容器によれば、口縁部を４つに分割した平面視Ｌ字状の各分割部位のうちの対角位置に位置する２つの分割部位に形成された平面視Ｌ字状の凹部と、凹部が形成された２つの分割部位を除く他の２つの分割部位に形成されると共に第１突合状態において同種類の他の収納容器における平面視Ｌ字状の凹部と嵌合可能な平面視Ｌ字状の第４凸部とを備えて開口部側嵌合部を構成したことにより、第１突合状態において、２つの収納容器における各々の開口部の口縁部を、その全域に亘って埃の侵入を十分に防止可能に閉塞することができる。このため、この収納容器によれば、被収納体を収納した箱状体を、埃の侵入防止用の袋等に封入するような工程を不要とすることができる。
【００１４】
また、本発明に係る収納容器によれば、口縁部を構成する４つの辺における互いに対向する２つの辺の中央部に切り欠き部をそれぞれ形成したことにより、積み重ねた複数の箱状体を隣り合わせて密着するように並べた場合においても、２つの切り欠き部が重なることによって隣接する同種類の他の収納容器（箱状体）との間に隙間を生じさせることができる。このため、このように積み重ねて並べた状態の箱状体を１つずつ持ち上げて移動させるときには、その隙間である切り欠き部の形成部位に手を差し込むことで、収納容器の口縁部を容易に掴むことができる結果、移動作業の効率を向上させることができる。
【００１５】
また、本発明に係る収納容器によれば、開口部および底部をそれぞれ略長方形に形成し、口縁部を構成する４つの辺における互いに対向する２つの短辺の中央部に切り欠き部をそれぞれ形成したことにより、口縁部における切り欠き部の形成部位を掴んだ状態において、被収納体が収納された収納容器（箱状体）を移動させる際に、収納容器が安定してバランスを保ち易いため、移動作業の効率をさらに向上させることができる。
【図面の簡単な説明】
【００１６】
【図１】収納容器１を開口部１０ａ側から見た斜視図である。
【図２】収納容器１を開口部１０ａ側から見た平面図である。
【図３】収納容器１を底部２の外側から見た斜視図である。
【図４】収納容器１を底部２の外側から見た平面図である。
【図５】図２におけるＡ−Ａ線断面図である。
【図６】収納容器１にテープカートリッジ２００を収納した状態の平面図である。
【図７】収納箱１００における各収納容器１，１を図２におけるＡ−Ａ線でそれぞれ切断した状態の断面図である。
【図８】収納箱１００Ａ，１００Ｂを積み重ねた状態の断面図である。
【図９】収納箱１００Ａ，１００Ｂにおける各々の底部側嵌合部１２同士の嵌合状態を説明する説明図である。
【図１０】積み重ねた複数の収納箱１００を並べた状態を示す平面図である。
【図１１】収納容器３０１の平面図である。
【図１２】収納箱３００，１００を積み重ねた状態の断面図である。
【図１３】第５凸部３３１と第２凸部３２との嵌合状態を説明する説明図である。
【発明を実施するための形態】
【００１７】
以下、本発明に係る収納容器、および収納容器の積み重ね方法の実施の形態について、添付図面を参照して説明する。
【００１８】
最初に、収納容器１の構成について、図面を参照して説明する。収納容器１は、図１，２に示すように、略長方形に形成された底部２と、底部２の縁部にそれぞれ立設された４つの壁部３ａ〜３ｄ（以下、区別しないときには「壁部３」ともいう）とを備えて、略長方形の開口部１０ａを有する全体としてトレー状に構成されている。また、収納容器１は、一例として、ＰＥＴ（ポリエチレンテレフタレート）を用いて射出成形によって製造される。
【００１９】
また、収納容器１は、図７に示すように、一対の収納容器１，１における各々の開口部１０ａの口縁部（後述する鍔部４）同士を突合させた状態（以下、この状態を「第１突合状態」ともいう）において、被収納体としてのテープカートリッジ２００（図５も参照）を収納可能な収納箱（箱状体）１００をその一対の収納容器１，１で形成可能に構成されている。この場合、テープカートリッジ２００は、一例として、単一のテープリールを有する１リールタイプのテープカートリッジであって、平面視がほぼ正方形に形成されている。
【００２０】
また、収納容器１は、図１，２に示すように、開口部１０ａを取り囲むように形成された鍔部４を備えて構成されている。また、鍔部４には、開口部側嵌合部１１が形成されている。この開口部側嵌合部１１は、上記した第１突合状態において、同種類の他の収納容器１の開口部側嵌合部１１と嵌合可能に構成されている。具体的には、開口部側嵌合部１１は、凹部４１および第４凸部４２を備えて構成されている。また、開口部側嵌合部１１は、平面視形状が底部２の中心２ｘを対称点として点対称の形状に形成されている。
【００２１】
凹部４１は、図２に示すように、鍔部４を４つに分割した平面視Ｌ字状の４つの分割部位４ａ〜４ｄのうちの対角位置に位置する２つの分割部位４ａ，４ｃにそれぞれ形成されている。また、凹部４１は、同図に示すように平面視Ｌ字状に形成されている。第４凸部４２は、同図に示すように、凹部４１が形成された上記の２つの分割部位４ａ，４ｃを除く他の２つの分割部位４ｂ，４ｄに形成されている。また、第４凸部４２は、上記した第１突合状態において、同種類の他の収納容器１における凹部４１と嵌合可能な平面視Ｌ字状に形成されている。
【００２２】
また、図１，２に示すように、鍔部４を構成する４つの辺における互いに対向する２つの辺（この例では、短尺の辺（短辺））の中央部には、切り欠き部５がそれぞれ形成されている。
【００２３】
また、図３，４に示すように、収納容器１の底部２には、底部側嵌合部１２が形成されている。この底部側嵌合部１２は、図３，４，８に示すように、底部２と同種類の他の収納容器１の底部２とを突合させた状態（以下、この状態を「第２突合状態」ともいう）において、互いに嵌合可能に構成されている。具体的には、底部側嵌合部１２は、第１凸部３１、第２凸部３２および第３凸部３３を備えて構成されている。また、底部側嵌合部１２は、平面視形状が底部２の中心２ｘを対称点として点対称の形状に形成されている。
【００２４】
第１凸部３１は、図３，４に示すように、底部２の中心２ｘの周囲に位置するように底部２を４つに分割した平面視略長方形（略矩形の一例）の４つの分割領域２ａ〜２ｄのうちの対角位置に位置する２つの分割領域２ａ，２ｃにおいて、底部２の外側に向けてそれぞれ突出形成されている。また、第１凸部３１は、平面視略長方形（略矩形の一例）の枠状に形成されている。第２凸部３２は、両図に示すように、第１凸部３１が形成された２つの分割領域２ａ，２ｃを除く他の２つの分割領域２ｂ，２ｄにおいて、底部２の外側に向けてそれぞれ突出形成されている。また、第２凸部３２は、対向する２つの辺３２ａ，３２ａ（二辺）と、辺３２ａ，３２ａの端部を結ぶ１つの辺３２ｂ（一辺）とで構成される平面視コ字状（外側の短尺の辺が欠けた形状）に形成され、上記した第２突合状態において、同種類の他の収納容器１における第１凸部３１の外壁に嵌合可能に構成されている。この第２凸部３２は、第２突合状態において、辺３２ｂに沿った方向（この例では、収納容器１の短尺方向であって、図４における上下方向）への各収納容器１の相対的な移動を規制する。
【００２５】
第３凸部３３は、図３，４に示すように、第２凸部３２が形成されている分割領域２ｂ，２ｄにそれぞれ形成されている。また、第３凸部３３は、第２突合状態において、同種類の他の収納容器１における第１凸部３１の内壁に係合可能な形状（一例として、平面視帯状）に形成されている。この第３凸部３３は、第２突合状態において、第２凸部３２の辺３２ａ，３２ａに沿った方向（この例では、収納容器１の長尺方向であって、図４における左右方向）への各収納容器１の相対的な移動を規制する。
【００２６】
また、図１，２に示すように、底部２の内側には、リブ６が形成され、このリブ６には、仕切部７ａ，７ａ・・が形成されている。また、図２に示すように、底部２の内側には、仕切部７ｂ，７ｂ・・が形成されている。さらに、壁部３ａ，３ｃには、仕切部７ｃ，７ｃ・・がそれぞれ形成されている。この場合、各仕切部７ａ，７ｂ，７ｃは、テープカートリッジ２００を収納する複数（この場合、２０個）の収納スペース２０（図２参照）を区画して、図６に示すように、複数のテープカートリッジ２００を互いに離間させた状態で収納させる機能を有している。
【００２７】
次に、収納容器１の使用方法について、図面を参照して説明する。
【００２８】
まず、図１，２，５に示すように、開口部１０ａを上向きにして収納容器１を載置する（以下、この収納容器１を「収納容器１Ａ」ともいう）。次いで、図２に示すように、例えば、収納容器１Ａにおける仕切部７ａ，７ｂ，７ｃによって仕切られた左下隅の収納スペース２０にテープカートリッジ２００を収納する。続いて、仕切部７ａ，７ｂ，７ｃによって仕切られた各収納スペース２０，２０・・にテープカートリッジ２００を順次収納する（図６参照）。
【００２９】
次に、図６に示すように、全て（この場合、２０個）の収納スペース２０にテープカートリッジ２００をそれぞれ収納した収納容器１Ａに対して、図７に示すように、同種類の他の収納容器１（以下、この収納容器１を「収納容器１Ｂ」ともいう）を開口部１０ａを下向きにした状態で覆い被せる。この際に、両収納容器１Ａの各鍔部４と、収納容器１Ｂの各鍔部４とを突合させて、両収納容器１Ａ，１Ｂにおける各々の開口部側嵌合部１１同士を嵌合させる。これにより、両収納容器１Ａ，１Ｂが各開口部側嵌合部１１を介して連結されて、両収納容器１Ａ，１Ｂによって収納箱１００（以下、この収納箱１００を「収納箱１００Ａ」ともいう）が構成される。この場合、仕切部７ａ，７ｂ，７ｃによって各テープカートリッジ２００が離間させられた状態で収納されているため、例えば、収納箱１００を搬送する際に収納箱１００が振動したとしても、収納箱１００内の各テープカートリッジ２００同士の摺動によってテープカートリッジ２００が傷付く事態が確実に防止される。また、仕切部７ａ，７ｂ，７ｃによって仕切られた収納スペース２０にテープカートリッジ２００を収納するため、テープカートリッジ２００を全ての収納スペース２０には収納しなかったとしても、つまり収納スペース２０に空きがあったとしても、テープカートリッジ２００のがたつきが確実に防止される。
【００３０】
また、この収納容器１では、平面視形状が底部２の中心２ｘを対称点として点対称の形状に開口部側嵌合部１１が形成されている。このため、各開口部側嵌合部１１は、両収納容器１Ａ，１Ｂにおける各々の開口部側嵌合部１１同士が嵌合可能な位置から収納容器１Ｂを収納容器１Ａに対して中心２ｘを回転中心として半回転させた位置においても嵌合可能となっている。したがって、収納容器１Ｂを収納容器１Ａに覆い被せる際に、収納容器１Ｂにおける中心２ｘを中心とする上下左右の向き（以下、単に「向き」ともいう）を確認する作業が不要な結果、テープカートリッジ２００の収納作業の効率を十分に向上させることが可能となっている。
【００３１】
次いで、上記と同様にして、新たな収納容器１（以下、この収納容器１を「収納容器１Ｃ」ともいう）にテープカートリッジ２００を収納し、その収納容器１Ｃに同種類の他の新たな収納容器１（以下、この収納容器１を「収納容器１Ｄ」ともいう）を覆い被せ、両収納容器１Ｃ，１Ｄを各々の開口部側嵌合部１１を介して連結させる。これにより、テープカートリッジ２００が収納された２つめの収納箱１００（以下、この収納箱１００を「収納箱１００Ｂ」ともいう）が構成される。
【００３２】
続いて、図８に示すように、収納箱１００Ａの上に収納箱１００Ｂを積み重ねる。この場合、収納箱１００Ａを構成する収納容器１Ｂの底部２と、収納箱１００Ｂを構成する収納容器１Ｃの底部２とを突合させる。この際に、同図および図９に示すように、収納容器１Ｃの第２凸部３２が収納容器１Ｂの第１凸部３１の外壁に嵌合する。また、図８に示すように、収納容器１Ｂの第２凸部３２が収納容器１Ｃの第１凸部３１の外壁に嵌合する。この場合、第１凸部３１と第２凸部３２との嵌合によって第２凸部３２の辺３２ｂに沿った方向（例えば、収納容器１の短尺方向であって、図９における上下方向）への各収納容器１（各収納箱１００）の相対的な移動が規制される。
【００３３】
また、図９に示すように、収納容器１Ｃの第３凸部３３が収納容器１Ｂの第１凸部３１の内壁に嵌合する。また、収納容器１Ｂの第３凸部３３が、収納容器１Ｃの第１凸部３１の内壁に嵌合する。この場合、第１凸部３１と第３凸部３３との嵌合によって第２凸部３２の辺３２ａ，３２ａに沿った方向（例えば、収納容器１の長尺方向であって、同図における左右方向）への各収納容器１（収納箱１００）の相対的な移動が規制される。これにより、収納箱１００Ａ，１００Ｂ同士が各底部側嵌合部１２を介して連結されて両者のずれが防止される。
【００３４】
この場合、この収納容器１では、平面視形状が底部２の中心２ｘを対称点として点対称の形状に底部側嵌合部１２がそれぞれ形成されている。このため、各底部側嵌合部１２は、両収納容器１Ｂ，１Ｃにおける各々の底部側嵌合部１２同士が嵌合可能な位置から収納容器１Ｃを収納容器１Ｂに対して中心２ｘを回転中心として半回転させた位置においても嵌合可能となっている。したがって、収納箱１００Ｂを収納箱１００Ａの上に積み重ねる際に、収納容器１Ｃの向きを確認する作業が不要な結果、その分、積み重ね作業の効率を向上させることが可能となっている。
【００３５】
以下、上記の作業を繰り替えして収納容器１（収納箱１００）にテープカートリッジ２００を収納する。この場合、この収納容器１では、鍔部４を構成する４つの辺における互いに対向する２つの短辺の中央部に切り欠き部５が形成されている。このため、図１０に示すように、積み重ねた複数の収納箱１００を隣り合わせて密着するように並べた場合においても、切り欠き部５によって隣接する同種類の他の収納容器１との間に２つの切り欠き部５が重なった隙間が生じている。このため、例えば、このように積み重ねて並べた状態で搬送や保管がされた収納箱１００を１つずつ持ち上げて移動させるときには、その隙間、つまり切り欠き部５の形成部位に手を差し込むことで、鍔部４を容易に掴むことができる結果、移動作業の効率を向上させることが可能となっている。
【００３６】
次に、図１１に示すように、底部における長尺方向（同図における左右方向）の長さが収納容器１の底部２における長尺方向の長さよりも長く規定され、底部３０２に形成された底部側嵌合部３１２の形状が上記した収納容器１（第１収納容器に相当する）の底部側嵌合部１２の形状とは異なる他種類の収納容器３０１（第２収納容器に相当する）と、収納容器１とを積み重ねる収納容器の積み重ね方法について説明する。一例として、収納容器３０１にテープカートリッジ２００を収納した収納箱３００（図１２参照）の上に、テープカートリッジ２００を収納した収納箱１００を積み重ねる方法について説明する。この場合、図１１に示すように、収納容器３０１の底部３０２には、平面視形状が底部３０２の中心３０２ｘを対称点として点対称の形状に形成されて、この収納容器３０１と同種類の他の収納容器３０１の底部３０２との突合状態において、互いに嵌合可能な底部側嵌合部３１２が形成されている。
【００３７】
また、底部側嵌合部３１２は、図１１に示すように、底部３０２の中心３０２ｘの周囲に位置するように底部３０２を４つに分割した平面視略長方形の４つの分割領域３０２ａ〜３０２ｄのうちの対角位置に位置する２つの分割領域３０２ａ，３０２ｃにそれぞれ突出形成された第５凸部３３１と、第５凸部３３１が形成された２つの分割領域３０２ａ，３０２ｃを除く他の２つの分割領域３０２ｂ，３０２ｄに突出形成された第６凸部３３２を備えて構成されている。この第５凸部３３１は、同図に示すように、収納容器１の第１凸部３１よりも長尺方向の長さが長い平面視略長方形に形成されている。また、第６凸部３３２は、第５凸部３３１の外壁に嵌合可能な平面視略長方形の枠状に形成されている。また、収納容器３０１の底部３０２の内側には、収納容器１の仕切部７ｂと同様の機能を有する仕切部が形成され、収納容器３０１の外面における仕切部の形成部位は、凹み（以下、この凹みを「凹部３０７ｂ」ともいう）となっている。この場合、凹部３０７ｂは、収納容器３０１の底部３０２と収納容器１の底部２とを突合させた状態において収納容器１の第３凸部３３が嵌合するように形成されている。
【００３８】
このように構成された収納容器３０１にテープカートリッジ２００を収納した収納箱３００の上に、収納容器１にテープカートリッジ２００を収納した収納箱１００を積み重ねる際には、図１２に示すように、収納箱３００を構成する収納容器３０１の底部３０２と、収納箱１００を構成する収納容器１の底部２とを突合させる。この場合、例えば、収納容器１の第２凸部３２が枠状（辺３２ａ，３２ａの両端が二本の辺３２ｂで結ばれて、外側の短尺の辺が欠けていない形状）に形成されているときには、収納容器１の第１凸部３１よりも長尺方向に長い収納容器３０１の第５凸部３３１と第２凸部３２とがぶつかり合って両者が嵌合できないこととなる。これに対して、この収納容器１では、中心２ｘから離反する外側が欠けた平面視コ字状に第２凸部３２が形成されている。このため、図１３に示すように、収納容器１の第１凸部３１よりも長尺方向に長い収納容器３０１の第５凸部３３１と第２凸部３２とがぶつかり合うことなく、第２凸部３２が第５凸部３３１の外壁に確実に嵌合する。また、同図に示すように、収納容器３０１の底部３０２の外面に形成されている凹部３０７ｂに第３凸部３３が嵌合する。
【００３９】
この場合、第５凸部３３１と第２凸部３２との嵌合によって第２凸部３２の辺３２ｂに沿った方向（例えば、短尺方向であって、図１３における上下方向）への各収納容器１，３０１の相対的な移動が規制され、凹部３０７ｂと第３凸部３３との嵌合によって第２凸部３２の辺３２ａ，３２ａに沿った方向（例えば、長尺方向であって、同図における左右方向）への各収納容器１，３０１の相対的な移動が規制される。これにより、収納箱３００の収納容器３０１の底部側嵌合部３１２と収納箱１００の収納容器１の底部側嵌合部１２とが嵌合した状態で収納箱１００が収納箱３００の上に積み重ねられる。なお、上記したのとは逆に、収納箱１００の上に収納箱３００を積み重ねることができるのは勿論である。
【００４０】
この場合、収納容器１の底部側嵌合部１２は、平面視形状が底部２の中心２ｘを対称点として点対称の形状に形成されているため、収納箱１００を収納箱３００の上に積み重ねる場合、または、収納箱３００を収納箱１００の上に積み重ねる場合においても、１８０°回転しても積み重ねられる。したがって、収納容器１の向きを確認する作業が不要となる結果、積み重ね作業の効率を向上させることが可能となっている。
【００４１】
このように、この収納容器１では、底部を４つに分割した平面視略長方形の各分割領域２ａ〜２ｄのうちの対角位置に位置する分割領域２ａ，２ｃに形成した第１凸部３１と、分割領域２ｂ，２ｄに形成した第２凸部３２および第３凸部３３とを備えて底部側嵌合部１２が構成され、第２凸部３２が平面視コ字状に形成されている。このため、この収納容器１および収納容器の積み重ね方法によれば、底部３０２に形成された底部側嵌合部３１２の形状が収納容器１における底部側嵌合部１２の形状とは異なる収納容器３０１と収納容器１とを積み重ねるときに、収納容器３０１の底部側嵌合部３１２が、収納容器１における第２凸部３２の辺３２ａ，３２ａに沿った方向の長さよりも長尺方向の長さが長い平面視略長方形の第５凸部３３１を備えて構成されている場合においても、第２凸部３２を第５凸部３３１の外壁に確実に嵌合させることができる。つまり、この収納容器１および収納容器の積み重ね方法によれば、底部３０２に形成された底部側嵌合部３１２の形状が収納容器１の底部側嵌合部１２の形状とは異なる他種類の収納容器３０１との積み重ねをすることができる。したがって、底部側嵌合部３１２の形状が収納容器１の底部側嵌合部１２の形状とは異なる他種類の収納容器３０１に被収納体としてのテープカートリッジ２００を収納した他種類の収納箱３００と、収納容器１にテープカートリッジ２００を収納した収納箱１００とが混在している場合においても、両者を積み重ねることができるため、積み重ね作業の効率を十分に向上することができる。
【００４２】
また、この収納容器１によれば、平面視形状が底部２の中心２ｘを対称点として点対称の形状に底部側嵌合部１２を形成したことにより、収納箱１００の上に収納箱１００を積み重ねる場合に加えて、収納箱１００を収納箱３００の上に積み重ねる場合においても、収納容器１の向きを確認する作業を不要にできる結果、積み重ね作業の効率をさらに向上させることができる。
【００４３】
また、この収納容器１によれば、鍔部４を分割した平面視Ｌ字状の分割部位４ａ〜４ｄのうちの対角位置に位置する分割部位４ａ，４ｃに形成された平面視Ｌ字状の凹部４１と、分割部位４ａ，４ｃを除く分割部位４ｂ，４ｄに形成されると共に同種類の他の収納容器１の凹部４１と嵌合可能な平面視Ｌ字状の第４凸部４２とを備えて開口部側嵌合部１１を構成したことにより、第１突合状態において、２つの収納容器１における各々の開口部１０ａの口縁部を、その全域に亘って埃の侵入を十分に防止可能に閉塞することができる。このため、この収納容器１によれば、テープカートリッジ２００を収納した収納箱１００を、埃の侵入防止用の袋等に封入するような工程を不要とすることができる。
【００４４】
また、この収納容器１によれば、鍔部４を構成する４つの辺における互いに対向する２つの辺の中央部に切り欠き部５を形成したことにより、積み重ねた複数の収納箱１００を隣り合わせて密着するように並べた場合においても、２つの切り欠き部５が重なり合うことによって隣接する同種類の他の収納容器１（収納箱１００）との間に隙間を生じさせることができる。このため、このように積み重ねて並べた状態の収納箱１００を１つずつ持ち上げて移動させるときには、その隙間である切り欠き部５の形成部位に手を差し込むことで、鍔部４を容易に掴むことができる結果、移動作業の効率を向上させることができる。
【００４５】
また、この収納容器１によれば、開口部１０ａおよび底部２をそれぞれ略長方形に形成し、鍔部４を構成する４つの辺における互いに対向する２つの短辺の中央部に切り欠き部５をそれぞれ形成したことにより、鍔部４における切り欠き部５の形成部位を掴んだ状態において、テープカートリッジ２００が収納された収納容器１（収納箱１００）を移動させる際に、収納容器１が安定してバランスを保ち易いため、移動作業の効率をさらに向上させることができる。
【００４６】
なお、収納容器１は、上記した構成に限定されない。例えば、開口部１０ａ、底部２および各分割領域２ａ〜２ｄがそれぞれ略長方形をなし、それらの長尺方向が第２凸部３２の辺３２ａ，３２ａに沿った方向となるように形成した例について上記したが、各々の長尺方向が第２凸部３２の辺３２ｂに沿った方向となるように（つまり、図２，４において縦長の略長方形をなすように）形成する構成を採用することもできる。また、開口部１０ａ、底部２および各分割領域２ａ〜２ｄがそれぞれ略正方形をなすように形成する構成を採用することもできる。また、２０個のテープカートリッジ２００を収納可能な収納容器１（収納箱１００）を例に挙げて説明したが、テープカートリッジ２００の収納可能数は、２０個に限定されず任意に規定することができる。また、鍔部４を構成する４つの辺のうちの互いに対向する２つの短尺の辺（短辺）の中央部に切り欠き部５をそれぞれ形成した構成例について上記したが、４つの辺のうちの２つの長尺の辺（長辺）の中央部に切り欠き部５をそれぞれ形成する構成を採用することもできる。さらに、鍔部４を構成する４つの辺における互いに対向する２つの辺の中央部だけに切り欠き部５を形成する構成に限らず、４つの辺の中央部全てに切り欠き部５を形成する構成を採用することもできる。また、テープカートリッジ２００に限定されず、テープカートリッジ２００以外のテープカートリッジや各種の記録媒体、および各種の小物類等を収納するための収納容器１に適用できるのは勿論である。
【符号の説明】
【００４７】
１，１Ａ〜１Ｄ  収納容器
２  底部
２ａ〜２ｄ  分割領域
２ｘ  中心
４  鍔部
４ａ〜４ｄ  分割部位
５  切り欠き部
１０ａ  開口部
１１  開口部側嵌合部
１２  底部側嵌合部
３１  第１凸部
３２  第２凸部
３２ａ，３２ｂ  辺
３３  第３凸部
４１  凹部
４２  第４凸部
１００，１００Ａ，１００Ｂ  収納箱
２００  テープカートリッジ
３０１  収納容器
３０２  底部
３０２ａ〜３０２ｄ  分割領域
３０２ｘ  中心
３０７ｂ  凹部
３１２  底部側嵌合部
３３１  第５凸部
３３２  第６凸部
【図１】
0005516340.tif 000002
【図２】
0005516340.tif 000003
【図３】
0005516340.tif 000004
【図４】
0005516340.tif 000005
【図５】
0005516340.tif 000006
【図６】
0005516340.tif 000007
【図７】
0005516340.tif 000008
【図８】
0005516340.tif 000009
【図９】
0005516340.tif 000010
【図１０】
0005516340.tif 000011
【図１１】
0005516340.tif 000012
【図１２】
0005516340.tif 000013
【図１３】
0005516340.tif 000014